(57)【要約】【課題】垂直方向に積み上げられて施工される外装材と共に、採光ユニットもしくはイルミネーションユニットなどの各ユニット構造体も容易に施工することができる外壁構造を提供すること。【解決手段】長手方向の上縁部および下縁部に沿ってそれぞれ連結部２，３が形成され、各連結部をそれぞれ介して壁面状に積み上げ装填される外装材１Ａ，１Ｂの一部に代わり、外光を屋内に導入する採光ユニットなどのユニット構造体１１が外装材と共に装填される。前記ユニット構造体１１の上縁部および下縁部にも、前記外装材に施された連結部と同様の連結部１２ａ，１３ａが形成されており、またユニット構造体の高さ方向の寸法が各外装材の高さ方向の幅寸法と同一に形成されている。【選択図】図２
2014109161.tif 000002
【特許請求の範囲】
【請求項１】
長手方向の上縁部に沿って厚さ方向の中央部が突出した雄実連結部が形成され、かつ長手方向の下縁部に沿って厚さ方向の中央部が凹んだ雌実連結部が形成された矩形状の外装材が、前記上縁部および下縁部の各連結部をそれぞれ介して壁面状に積み上げ装填されると共に、前記一部の外装材に代えて、表面に光透過性部材を備えたユニット構造体が、前記各外装材と共に壁面状に積み上げ装填された建築物の外壁構造であって、
前記ユニット構造体が矩形状に形成されると共に、当該ユニット構造体の上縁部および下縁部に沿って、前記外装材の雌実連結部に接合可能な厚さ方向の中央部が突出した雄実連結部および前記外装材の雄実連結部に接合可能な厚さ方向の中央部が凹んだ雌実連結部がそれぞれ形成され、かつ前記ユニット構造体の高さ方向の幅寸法が、壁面状に積み上げ装填された前記各外装材の高さ方向の幅寸法と同一に形成されていることを特徴とする建築物の外壁構造。
【請求項２】
前記ユニット構造体の上縁部および下縁部に沿ってそれぞれ形成された雄実連結部および雌実連結部は、それぞれが金属素材により構成された上側フレームおよび下側フレームにそれぞれ一体成型されていることを特徴とする請求項１に記載された建築物の外壁構造。
【請求項３】
前記ユニット構造体を構成する上側フレームおよび下側フレームの左右において、当該上側フレームおよび下側フレームをそれぞれ連結する左側および右側フレームが具備され、前記上側および下側フレームと左側および右側フレームとにより額縁状に組み立てられた中央部に前記各フレームを利用して前記光透過性部材が装着されていることを特徴とする請求項２に記載された建築物の外壁構造。
【請求項４】
前記ユニット構造体の表面に備えた光透過性部材を介して、屋外の光を屋内に導入する採光ユニットを構成したことを特徴とする請求項１ないし請求項３のいずれか１項に記載された建築物の外壁構造。
【請求項５】
前記ユニット構造体に備えられた光透過性部材の端面に発光素子が配置され、前記光透過性部材の屋内側の面に光反射手段が敷設されることで、前記発光素子からの光を前記光透過性部材を介して屋外に放射するイルミネーションユニットを構成したことを特徴とする請求項１ないし請求項３のいずれか１項に記載された建築物の外壁構造。
【請求項６】
前記ユニット構造体に備えられた光透過性部材を介した屋内側に、前記光透過性部材に向かう発光素子が配置され、前記発光素子からの光を前記光透過性部材を介して屋外に放射するイルミネーションユニットを構成したことを特徴とする請求項１ないし請求項３のいずれか１項に記載された建築物の外壁構造。
【発明の詳細な説明】
【技術分野】
【０００１】
この発明は、例えば戸建住宅や商業ビル等の建築物に敷設される外壁構造に関し、特に垂直方向に順次積み上げられて全体が壁面状になされる建築用外装材の一部に代えて、外部からの光を取り込む採光部、もしくはイルミネーションの機能を果たす発光ユニット等を容易に施工することができる建築物の外壁構造に関する。
【背景技術】
【０００２】
近年における公共施設や店舗等が入居する商業ビル、また戸建住宅等においては、意匠および施工性に優れた窯業系外装材（セメント質原料および繊維質原料を用いて板状に成形した外装材）が多用されている。この外装材は、幅が３００〜６００ｍｍ程度、長さが２０００〜３０００ｍｍ程度になされた各種の規格のものが提供されている。
【０００３】
また、前記各外装材には、長手方向に沿った上縁部に雄実連結部が形成され、また下縁部に雌実連結部が形成されており、下側の外装材の前記雄実連結部に、その上側に施工される外装材の前記雌実連結部が重ね合わされ、これらが建物の躯体に沿って垂直方向に順次積み上げられて全体が壁面状となるように施工される。
【０００４】
前記した住宅等の外壁構造に用いられる外装材については、本件出願人からもすでに幾つかの提案がなされており、これは例えば特許文献１および２などに開示されている。
【先行技術文献】
【特許文献】
【０００５】
【特許文献１】特開２００６−１４４３３８号公報
【特許文献２】特開２０１２−６２６３５号公報
【０００６】
ところで、前記した建築用外装材を用いて壁面状に施工する場合、例えば戸建住宅等においては、外装材の一部に代えて明かり採りのための採光部を設けたいとの要請があり、また商業ビル等においては、外装材の一部に代えて屋外に光を投射するイルミネーションとしての機能を果たす発光ユニットを設置したいとの要請もある。
【０００７】
従来、前記した要請に応えるには、明かり採りのための採光ユニットもしくはイルミネーションユニットが施工される箇所に、予めサッシ枠等を取り付ける工事が施され、このサッシ枠等を利用して前記した採光ユニットもしくはイルミネーションユニットなどのユニット構造体を個別に取り付ける作業が余儀なくされている。
【０００８】
すなわち、前記したサッシ枠等の施工と共に、このサッシ枠等を利用して各ユニット構造体を個別に取り付けるためのそれぞれの作業も加わることになり、これによるとサッシ枠等の材料の負担のみならず、各施工作業の増加、並びにこれに要する期間も必要とし、結果として製品コストを高騰させるという問題を招くことになる。
【発明の概要】
【発明が解決しようとする課題】
【０００９】
この発明は前記した従来の問題点に着目し、これを解消するためになされたものであり、垂直方向に順次積み上げられて施工される前記した外装材と共に、前記した採光ユニットもしくはイルミネーションユニットなどの各ユニット構造体を容易に施工することができるように構成し、これにより施工の容易性を生かした外壁構造を提供することを課題とするものである。
【００１０】
さらにこの発明は、前記各ユニット構造体が外装材の上下幅に対応した寸法に設定されることで、前記各外装材同志の接合部における目地溝、また前記外装材と前記各ユニット構造体との接合部における目地溝が規則正しく連続した状態で配列されるようになされ、これにより建物の外観が整然とした景観になし得る外壁構造を提供することを課題とするものである。
【課題を解決するための手段】
【００１１】
前記した課題を解決するためになされたこの発明にかかる建築物の外壁構造は、長手方向の上縁部に沿って厚さ方向の中央部が突出した雄実連結部が形成され、かつ長手方向の下縁部に沿って厚さ方向の中央部が凹んだ雌実連結部が形成された矩形状の外装材が、前記上縁部および下縁部の各連結部をそれぞれ介して壁面状に積み上げ装填されると共に、前記一部の外装材に代えて、表面に光透過性部材を備えたユニット構造体が、前記各外装材と共に壁面状に積み上げ装填された建築物の外壁構造であって、前記ユニット構造体が矩形状に形成されると共に、当該ユニット構造体の上縁部および下縁部に沿って、前記外装材の雌実連結部に接合可能な厚さ方向の中央部が突出した雄実連結部および前記外装材の雄実連結部に接合可能な厚さ方向の中央部が凹んだ雌実連結部がそれぞれ形成され、かつ前記ユニット構造体の高さ方向の幅寸法が、壁面状に積み上げ装填された前記各外装材の高さ方向の幅寸法と同一に形成されていることことを特徴とする。
【００１２】
この場合、前記ユニット構造体の上縁部および下縁部に沿ってそれぞれ形成された雄実連結部および雌実連結部は、好ましくはそれぞれが金属素材により構成された上側フレームおよび下側フレームにそれぞれ一体成型により形成される。
【００１３】
加えて、前記ユニット構造体を構成する上側フレームおよび下側フレームの左右において、当該上側フレームおよび下側フレームをそれぞれ連結する左側および右側フレームが具備され、前記上側および下側フレームと左側および右側フレームとにより額縁状に組み立てられた中央部に前記各フレームを利用して前記光透過性部材が装着された構成が好適に採用される。
【００１４】
そして、一つの好ましい実施の形態においては、前記ユニット構造体の表面に備えた光透過性部材を介して、屋外の光を屋内に導入する採光ユニットが構成される。
【００１５】
また、他の形態においては、前記ユニット構造体に備えられた光透過性部材の端面に発光素子が配置され、前記光透過性部材の屋内側の面に光反射手段が敷設されることで、前記発光素子からの光を前記光透過性部材を介して屋外に放射するイルミネーションユニットが構成される。
【００１６】
またさらには、前記ユニット構造体に備えられた光透過性部材を介した屋内側に、前記光透過性部材に向かう発光素子が配置され、前記発光素子からの光を前記光透過性部材を介して屋外に放射する構成のイルミネーションユニットも好適に採用することができる。
【発明の効果】
【００１７】
前記した構成の建築物の外壁構造によると、建築物の外壁構造を構成する外装材は、長手方向の上縁部および下縁部に沿って、雄実連結部および雌実連結部が形成されており、また前記外装材の一部に代わる採光ユニットやイルミネーションユニットなどのユニット構造体においても、長手方向の上縁部および下縁部に沿って、前記外装材と同様の連結部がそれぞれ形成されている。
【００１８】
したがって、前記外装材の各連結部を利用して、順次垂直方向に積み上げて外壁を施工する際に、適宜の位置に前記した採光ユニットやイルミネーションユニットなどのユニット構造体を、前記外装材と同様の手段により挿入施工することができ、施工の容易性を生かした外壁構造を提供することが可能となる。
【００１９】
加えて、前記したユニット構造体の高さ方向の幅寸法が、前記各外装材の高さ方向の幅寸法と同一となるように形成されているので、各外装材同志の接合部における目地溝、また前記外装材と前記各ユニット構造体との接合部における目地溝が規則正しく連続した状態で配列されることになり、建物の外観が整然とした景観になし得る外壁構造を提供することが可能となる。
【図面の簡単な説明】
【００２０】
【図１】外装材の一部に代えてユニット構造体を施工した外壁構造の一部を模式的に示した正面図である。
【図２】図１におけるＡ−Ａ線より矢印方向に見た第１形態のユニット構造体の断面図である。
【図３】図１におけるＢ−Ｂ線より矢印方向に見た第１形態のユニット構造体の断面図である。
【図４】図１におけるＡ−Ａ線より矢印方向に見た第２形態のユニット構造体の断面図である。
【図５】図１におけるＢ−Ｂ線より矢印方向に見た第２形態のユニット構造体の断面図である。
【図６】図１におけるＡ−Ａ線より矢印方向に見た第３形態のユニット構造体の断面図である。
【図７】図１におけるＡ−Ａ線より矢印方向に見た第４形態のユニット構造体の断面図である。
【発明を実施するための形態】
【００２１】
この発明に係る外壁構造について、図に示す実施の形態に基づいて説明する。なお以下に示す各図においては、同一部分もしくは同一の機能を果たす部分をそれぞれ同一符号で示しており、したがって同一符号で示された部分の詳細な説明は適宜省略する。
【００２２】
この発明にかかる外壁構造の基本形態は、図１に示したとおり、偏平状に成形された複数枚の外装材１Ａ，１Ｂを用いて垂直方向に壁面状に積み上げられて施工される。この場合、前記外装材の一部に代えて明かり採りのための採光ユニットもしくは屋外に光を投射するイルミネーションユニットなどのユニット構造体１１が前記外装材１Ａ，１Ｂと共に装填される。
【００２３】
図１に示す例においては、それぞれの長さ寸法が例えば３０００ｍｍ、上下の幅寸法が３００ｍｍの矩形状に成形された外装材１Ａ（以下、これを長尺物の外装材ともいう。）を用いて外壁構造が構成されると共に、前記したユニット構造体１１は、長さ寸法が６００ｍｍ、上下の幅寸法が３００ｍｍの矩形状に成形されたものが採用されている。
したがって、前記ユニット構造体１１を垂直方向に含んで装填される外装材１Ｂにおいては、前記ユニット構造体１１の長さ寸法に合わせた若干短小サイズのもの（以下、これを短尺物の外装材ともいう。）が用いられている。
【００２４】
なお、前記ユニット構造体１１は、以下に説明するとおり、表面に光透過性部材としてのガラス板が装着されており、このガラス板の成形上において、その成形寸法に制約が生ずるために、前記ユニット構造体１１の長さ寸法を前記した６００ｍｍに設定している。
【００２５】
前記ユニット構造体１１は、屋外側から見た表面構造は、図１に示されているようにアルミ素材の押し出し成型により構成された上側フレーム１２および下側フレーム１３と、これらを連結する左側フレーム１４および右側フレーム１５とにより額縁状に組み立てられており、その中央部に前記各フレームを利用して光透過性部材としての前記したガラス板１６が装着されている。
【００２６】
図２は、図１におけるＡ−Ａ線より矢印方向に見たユニット構造体１１を中央にした拡大断面図であり、また図３は、図１におけるＢ−Ｂ線より矢印方向に見た同じくユニット構造体１１を中央にした拡大断面図である。
なお、この図２および図３に示す例は、ユニット構造体１１を屋外からの光を取り込む採光ユニットとして採用した第１の実施の形態を示している。
【００２７】
図２に示されているように、ユニット構造体１１は、その上下に施工された短尺物の外装材１Ｂの間に装着されており、これらの短尺物および他の長尺物の外装材については、前記した幅寸法となるように押し出し加工により矩形状に成形される。
なお、図２においては、ユニット構造体１１の下側に位置する外装材１Ｂの上縁部の一部、およびユニット構造体１１の上側に位置する外装材１Ｂの下縁部の一部のみが示されているが、前記外装材はいずれも長手方向の上縁部に沿って厚さ方向の中央部が突出した雄実連結部２が形成されると共に、長手方向の下縁部に沿って厚さ方向の中央部が凹んだ雌実連結部３が形成されている。そして、外装材の長手方向に沿って多数の貫通孔４が配列された状態で形成されている。
【００２８】
すなわち前記した各外装材１Ａ，１Ｂは、雄実連結部２および雌実連結部３を利用して、建物の躯体に沿って、順次垂直方向に積み上げられて全体が壁面状となるように施工される。そして、図に示した例においては、前記建物の躯体には、止め金具７がビスなどにより取り付けられ、この止め金具７の逆Ｕ字状に湾曲された係止部が、前記各外装材の雄実連結部２と雌実連結部３との間に介在し、外装材１Ａ，１Ｂを建物の躯体に沿って垂直方向に装填する金具止め工法が採用されている。
【００２９】
採光ユニットを構成するユニット構造体１１の上下には、前記したとおり上側フレーム１２および下側フレーム１３が配置されており、このうち上側フレーム１２には、前記外装材１Ｂの雌実連結部３に接合可能な厚さ方向の中央部が突出した雄実連結部１２ａが、前記したとおりアルミ素材の押し出し成型により一体に形成されている。
【００３０】
また、下側フレーム１３においても、前記外装材１Ｂの雄実連結部３に接合可能な厚さ方向の中央部が凹んだ雌実連結部１３ａが、同様にアルミ素材の押し出し成型により一体に形成されている。
すなわち、上側フレーム１２に形成された雄実連結部１２ａおよび下側フレーム１３に形成された雌実連結部１３ａは、前記各外装材１Ａ，１Ｂに形成された雄実連結部２および雄実連結部３とほぼ同一の形状になされている。
【００３１】
そして、上側フレーム１２には、断面がコ字状に成形されることにより作られた一対の挟持壁１２ｂ，１２ｃが長手方向に沿って形成されており、この挟持壁１２ｂ，１２ｃの間に、２枚の合わせガラスにより構成されたガラス板（採光ガラス）１６の上端縁がバックアップ材１８およびシーリング材１９を介して取り付けられている。
【００３２】
また下側フレーム１３においても同様に、断面がコ字状に成形されることにより作られた一対の挟持壁１３ｂ，１３ｃが長手方向に沿って形成されており、この挟持壁１３ｂ，１３ｃの間に前記したガラス板１６（２枚の合わせガラス）の下端縁がバックアップ材１８およびシーリング材１９を介して取り付けられている。
なお、下側フレーム１３には、前記したガラス板１６の加重を受けると共に、ガラス板１６の位置を設定するセッティングブロック２０が挿入配置されている。
【００３３】
さらに、前記した上下の各フレーム１２，１３には、長手方向に沿って躯体側に突出成形された水平縁部１２ｄ，１３ｄがそれぞれ一体に成形されており、この水平縁部１２ｄ，１３ｄには、木材により組まれた額縁体２２が、皿ねじによって取り付けられている。
なお、この実施の形態においては、前記額縁体２２の上下に沿って躯体内にリップ溝型鋼２４（通称Ｃ形鋼）が補強材として配置されている。
【００３４】
また、図３に示すように前記した左右のフレーム１４および１５は、断面がコ字状に成形されて、その内部に前記したガラス板１６の左右の端縁がバックアップ材１８およびシーリング材１９を介して取り付けられている。
さらに、前記した左右の各フレーム１４，１５には、長手方向に沿って躯体側に突出成形された垂直縁部１４ａ，１５ａがそれぞれ一体に成形されており、この垂直縁部１４ａ，１５ａを利用して、木材により組まれた額縁体２２が、皿ねじによって取り付けられている。また、この実施の形態においては、前記額縁体２２の左右に沿って躯体内にリップ溝型鋼２４が補強材として配置されている。
【００３５】
図２および図３に示した室内側の額縁体２２は、四辺形に組まれてユニット構造体１１の採光ガラス１６に臨むように配置されており、前記額縁体２２の配置位置を除いて建物の躯体内には内装材２５が装着されている。
したがって、図２および図３に示した第１の実施の形態においては、屋外からの光は、ユニット構造体１１の採光ガラス１６および四辺形に組まれた額縁体２２を介して室内に導入されることになる。
【００３６】
次に図４および図５に示す例は、ユニット構造体１１を屋外からの光を取り込む採光ユニットとして採用した第２の実施の形態を示している。
この第２の実施の形態は、すでに説明した図２および図３に示す採光ユニットとしての第１の実施の形態と基本構成がほぼ同一であり、したがって同一の機能を果たす部分を同一符号で示し、詳細な説明は省略する。
【００３７】
この第２の実施の形態においては、屋外から見て前面ガラス１６ａと背面ガラス１６ｂとが、１０ｍｍ程度の間隔をもって上下および左右の各フレーム１２，１３，１４，１５に取り付けられて、前記二枚の前面および背面ガラス１６ａ，１６ｂにより採光ガラスを構成している。
【００３８】
したがって、前記した上下および左右の各フレーム１２，１３，１４，１５には、それぞれスペーサ２１が装着されて前面および背面ガラス１６ａ，１６ｂの間隔を保持するように構成されている。
この図４および図５に示す構成によると、前面および背面ガラス１６ａ，１６ｂの間隔が、前記した特定の狭い値に設定されることで、ガラス間における空気の対流を阻止することができ、これにより断熱効果を向上させた採光ユニット１１として利用することができる。
【００３９】
図６に示す例は、ユニット構造体１１を屋外からの光を取り込む採光ユニットとして、また夜間においては屋外に光を投射するイルミネーションユニットとして利用できるように構成した第３の実施の形態を示している。
なお、この第３の実施の形態に係るユニット構造体１１は、すでに説明した図４に示す構成と基本形態がほぼ同一であり、したがって同一の機能を果たす部分を同一符号で示し、詳細な説明は省略する。また図６においては、紙面の都合により一部の同一の機能を果たす部分の符号の記載も省略して示している。
【００４０】
この第３の実施の形態においては、屋外から見た前面ガラス１６ａの背面側には、フィルムシート３１が貼着されている。このフィルムシート３１には、文字や記号もしくは図形等が印刷などの手段で施されて透過されるように構成されている。
また、背面ガラス１６ｂはその端部がアルミ素材の押し出し成型により構成されたホルダー３２によって支持されると共に、このホルダー３２はユニット構造体１１を構成する上側フレーム１２および下側フレーム１３内に取り付けられている。
【００４１】
前記ホルダー３２内には、発光素子としてのＬＥＤ３３が収容配置されており、このＬＥＤ３３からの光は、背面ガラス１６ｂの端面に投射されるように構成されている。そして、前記背面ガラス１６ｂにおける屋外から見たさらに背面側には、シルク印刷体３４が施されて前記背面ガラス１６ｂの面において乱反射が可能となるように構成されている。すなわち、前記した背面ガラス１６ｂの端部から入射したＬＥＤ３３からの光は、背面ガラス１６ｂに施されたシルク印刷体３４によって乱反射されて全面発光し、その光は主に屋外に向かって投射されるように作用する。
【００４２】
したがって、背面ガラス１６ｂから屋外に向かって投射されるＬＥＤ３３からの光は、前面ガラス１６ａに貼着された前記したフィルムシート３１を透過するので、フィルムシート３１に施された文字や記号などが浮かび上がるようにして表示される。
また、この第３の実施の形態においては、昼間においては、屋外からの光は前記前面ガラス１６ａおよび背面ガラス１６ｂを透過して室内に導入され、これにより採光ユニットとしての機能を果たすことになる。
【００４３】
図７に示す例は、ユニット構造体１１を専らイルミネーションユニットとして利用するように構成した第４の実施の形態を示している。
なお、この第４の実施の形態に係るユニット構造体１１は、すでに説明した図５に示す構成と基本形態がほぼ同一であり、したがって同一の機能を果たす部分を同一符号で示し、詳細な説明は省略する。また図７においても、紙面の都合により一部の同一の機能を果たす部分の符号の記載は省略して示している。
【００４４】
この第４の実施の形態においても、前面ガラス１６ａの背面側には、文字や記号などが印刷により施されたフィルムシート３１が貼着されている。また、背面ガラス１６ｂにもシルク印刷体３４が施されて光拡散されるように構成されている。
そして、この第４の実施の形態においては、フレーム１２，１３内に収容された背面ガラス１６ｂを支持するホルダー３２には、水平縁部３２ａが一体成形されており、この水平縁部３２ａを利用して一面が開放された箱型のＬＥＤ収容体３６がビスにより取り付けられている。
【００４５】
前記ＬＥＤ収容体３６内には、背面ガラス１６ｂに対峙するようにして発光素子としてのＬＥＤ３３が配置されており、前記ＬＥＤ３３からの光は、背面ガラス１６ｂに施されたシルク印刷体３４によって光拡散され、前面ガラス１６ａに貼着されたフィルムシート３１を透過して屋外に投射される。
【００４６】
したがって、この実施の形態においても、前面ガラス１６ａに貼着されたフィルムシート３１に施された文字や記号などが浮かび上がるようにして表示される。
なお、図７に示した第４の実施の形態においては、室内側に四辺形に組まれて構成された額縁体２２には、これを閉塞する室内メンテ壁３７が取り付けられ、前記したＬＥＤ収容体３６の背面を覆った構成にされている。
【００４７】
以上説明した第１ないし第４の実施の形態で明らかなように、この発明に係る建築物の外壁構造によると、外装材１Ａ，１Ｂの長手方向の上縁部および下縁部に沿ってそれぞれ連結部２，３が形成されると共に、外装材の一部に代わるユニット構造体１１の上縁部および下縁部に沿っても、外装材と同様の連結部１２ａ，１３ａがそれぞれ形成されているので、適宜の位置に前記したユニット構造体１１を、外装材と同様の手段により挿入施工することができ、前記ユニット構造体を含めて施工の容易性を生かした外壁構造を提供することが可能となる。
【００４８】
また、ユニット構造体１１の高さ方向の幅寸法が、前記各外装材１Ａ，１Ｂの高さ方向の幅寸法と同一となるように形成されているので、例えば図１に示したように各外装材同志の接合部における目地溝、また前記外装材と前記各ユニット構造体との接合部における目地溝が規則正しく連続した状態で配列することができ、建物の外観が整然とした景観になし得る外壁構造を提供することが可能となるなど、前記した発明の効果の欄に記載したとおりの作用効果を得ることができる。
【符号の説明】
【００４９】
１Ａ    外装材（長尺物）
１Ｂ    外装材（短尺物）
２      雄実連結部
３      雌実連結部
７      止め金具
１１    ユニット構造体
１２    上側フレーム
１２ａ  雄実連結部
１２ｂ  挟持壁
１２ｃ  挟持壁
１２ｄ  水平縁部
１３    下側フレーム
１３ａ  雌実連結部
１３ｂ  挟持壁
１３ｃ  挟持壁
１３ｄ  水平縁部
１４    左側フレーム
１４ａ  垂直縁部
１５    右側フレーム
１５ａ  垂直縁部
１６    光透過性部材（ガラス板）
１６ａ  前面ガラス
１６ｂ  背面ガラス
２１    スペーサ
２２    額縁体
３１    フィルムシート
３２    ホルダー
３２ａ  水平縁部
３３    発光素子（ＬＥＤ）
３４    シルク印刷体
３６    ＬＥＤ収容体
３７    室内メンテ壁
【図１】
2014109161.tif 000003
【図２】
2014109161.tif 000004
【図３】
2014109161.tif 000005
【図４】
2014109161.tif 000006
【図５】
2014109161.tif 000007
【図６】
2014109161.tif 000008
【図７】
2014109161.tif 000009